(57)【要約】【課題】撹拌パドルおよび試薬分注プローブが移動開始から試薬容器上方に到達するまでの移動時間を短縮させ、自動分析装置の分析スループットを向上させることを可能にする技術を提供する。【解決手段】上方が開口した試薬容器１２０と、試薬容器１２０の上方まで移動され、その後に試薬容器１２０内の試薬を撹拌する撹拌パドル１２４と、試薬容器１２０の上方まで移動され、その後に撹拌パドル１２４が撹拌した後の試薬を吸引する試薬分注プローブ１２２と、を有する自動分析装置であって、撹拌パドル１２４および試薬分注プローブ１２２は、試薬容器１２０の上方に向かって同時に移動される。【選択図】図１
2014228318.tif 000002
【特許請求の範囲】
【請求項１】
上方が開口した試薬容器と、
前記試薬容器内の試薬を撹拌する撹拌パドルと、
前記撹拌パドルを水平移動および垂直移動させることにより前記試薬容器内の試薬にアクセスさせる撹拌パドル駆動機構と、
前記撹拌パドルが撹拌した後の前記試薬を吸引する試薬分注プローブと、
前記試薬分注プローブを水平移動および垂直移動させることにより前記試薬容器内の試薬にアクセスさせる試薬分注プローブ駆動機構と、を有する自動分析装置であって、
前記撹拌パドルおよび前記試薬分注プローブは、同時に前記試薬容器の上方に位置付けられるように前記撹拌パドル駆動機構および前記試薬分注プローブ駆動機構の動作を制御する、自動分析装置。
【請求項２】
請求項１に記載の自動分析装置において、
前記撹拌パドルおよび前記試薬分注プローブは、水平移動することによって同時に前記試薬容器の上方に位置付けられる、自動分析装置。
【請求項３】
請求項１または２に記載の自動分析装置において、
前記撹拌パドルおよび前記試薬分注プローブは、前記試薬容器の上方に到達後、垂直方向に降下することで前記試薬容器に挿入され、
前記撹拌パドルは、前記試薬容器に挿入された状態で前記試薬を撹拌する撹拌位置まで水平移動され、
前記試薬分注プローブは、前記試薬容器に挿入された状態で前記試薬を吸引する分注位置まで水平移動される、自動分析装置。
【請求項４】
請求項３に記載の自動分析装置において、
前記分注位置は、前記撹拌位置にて前記撹拌パドルの回転軸を中心とする半径５ｍｍ以内の領域に位置する、自動分析装置。
【請求項５】
請求項３に記載の自動分析装置において、
前記分注位置と前記撹拌位置との位置が略同一である、自動分析装置。
【請求項６】
請求項１〜５のいずれか一項に記載の自動分析装置において、
前記試薬分注プローブは、棒本体と、前記棒本体の先端に設けられる試薬分注プローブ開口部と、を有し、
前記試薬分注プローブ開口部の径は、前記棒本体の径よりも大きい、自動分析装置。
【請求項７】
請求項１〜６のいずれか一項に記載の自動分析装置において、
前記試薬分注プローブと前記撹拌パドルとが一体化された、自動分析装置。
【請求項８】
上方が開口した試薬容器と、
前記試薬容器の上方まで移動され、その後に前記試薬容器内の試薬を撹拌する撹拌パドルと、
前記試薬容器の上方まで移動され、その後に前記撹拌パドルが撹拌した後の前記試薬を吸引する試薬分注プローブと、
を有する自動分析装置における自動分析方法であって、
前記自動分析装置が、前記撹拌パドルおよび前記試薬分注プローブを、前記試薬容器の上方に同時に位置付ける待機位置移動ステップを有する、自動分析方法。
【請求項９】
請求項８に記載の自動分析方法において、
前記待機位置移動ステップは、前記撹拌パドルおよび前記試薬分注プローブを、前記試薬容器の上方に向かって水平移動させることで同時に前記試薬容器の上方に位置付ける、自動分析方法。
【請求項１０】
請求項８または９に記載の自動分析方法において、
前記自動分析装置が、前記撹拌パドルおよび前記試薬分注プローブを前記試薬容器の上方に到達させた後に、前記撹拌パドルおよび前記試薬分注プローブを垂直方向に同時に降下させることで前記試薬容器に挿入させる挿入ステップと、
前記撹拌パドルを前記試薬容器に挿入させた状態で前記試薬を撹拌する撹拌位置まで水平移動させる撹拌位置移動ステップと、
前記試薬分注プローブを前記試薬容器に挿入させた状態で前記試薬を吸引する分注位置まで水平移動させる分注位置移動ステップと、を有する、自動分析方法。
【請求項１１】
請求項１０に記載の自動分析方法において、
前記分注位置は、前記撹拌位置にて前記撹拌パドルの回転軸を中心とする半径５ｍｍ以内の領域に位置する、自動分析方法。
【請求項１２】
請求項１０に記載の自動分析方法において、
前記分注位置と前記撹拌位置との位置が同一である、自動分析方法。
【発明の詳細な説明】
【技術分野】
【０００１】
本発明は、自動分析装置および自動分析方法に関する。
【背景技術】
【０００２】
血液や尿などの生体由来の液体試料を高感度に生体試料分析するにあたっては、多量の共存成分が含まれる試料中から測定対象の成分を選択的に認識させる技術が必須となる。例えば、腫瘍マーカや感染症ウィルス、ホルモンなどにおける抗原や抗体を分析対象とする免疫分析においては、測定対象成分の血清中濃度が極微量であるのに対して、血清中には約７０ｇ／Ｌもの大量なたんぱく質成分が共存する。
【０００３】
このように高感度な生体試料分析を実施するために、分析対象となる成分に対して選択的に結合する物質を利用することにより、対象成分を選択的に標識化および分離させる手段がとられている。例えば免疫分析において一般的であるサンドイッチ法では、次の１）〜３）に示すような工程で分析が行われる。１）測定対象の抗原に対して、磁性粒子の結合した第一の抗体と、発光標識物質の結合した第二の抗体とを混合し、抗原抗体反応によって結合させる。２）永久磁石を利用して磁性粒子を磁気的に捕捉し、磁性粒子に結合していない共存成分を反応容器外に排出する。３）磁性粒子に結合している発光標識物質を発光させ、分析対象の抗原の濃度に依存した発光シグナルを得る。
【０００４】
前記１）で示した抗原抗体反応は、分析装置上に設置され、温度の制御された反応容器内に、磁性粒子や発光標識物質等の複数の試薬成分を、複数の試薬容器から分注ノズルにより分注して混合させることで進行されることが一般的である。
【０００５】
ただし、磁性粒子は比重が溶液より大きいため試薬容器内で沈降し、時間経過により濃度の不均一化を生ずる。このような不均一化が生じた状態で分注を行った場合には、反応容器に分注される磁性粒子数が変動することから、分析結果に変動を生ずる場合がある。そのため、自動分析装置では、分注前に磁性粒子溶液を撹拌することで、試薬容器内での磁性粒子濃度を均一化させる機構が備えられることが一般的である。
【０００６】
磁性粒子溶液を撹拌するための機構としては、例えば特開平９−２９２３９８号公報（特許文献１）には、パドル状の構造をもった撹拌棒を有する撹拌機構が記載されている。
【０００７】
また、特開２００４−１０１２７１号公報（特許文献２）には、試薬分注プローブの同軸状に撹拌翼を設けた撹拌機構が記載されている。
【０００８】
また、特開２０１２−０９８２０１号公報（特許文献３）には、試薬容器内に試薬分注プローブと撹拌棒とを同時に存在させることが記載されている。
【先行技術文献】
【特許文献】
【０００９】
【特許文献１】特開平９−２９２３９８号公報
【特許文献２】特開２００４−１０１２７１号公報
【特許文献３】特開２０１２−０９８２０１号公報
【発明の概要】
【発明が解決しようとする課題】
【００１０】
自動分析装置においては、装置占有面積を維持させたままでより多量の検体を一定時間以内に処理できるように、分析スループットを向上させることが求められる。また、分析スループットの向上を実現するためには、分析の各工程にかかる時間を短縮させることが必要になる。
【００１１】
しかしながら、特許文献１からも明らかなように、従来の方法では、まず撹拌パドルを水平方向へ移動させることによって試薬容器上方に位置させた後、前記撹拌パドルを垂直によって溶液中にアクセスさせて液体の撹拌を行う。その後、撹拌パドルを容器から取り出して、水平方向への移動によってもとの位置まで撹拌パドルを戻す。その後、分注ノズルを水平方向へ移動させることで試薬容器上方に位置させた後、分注ノズルを垂直移動させることで溶液中にアクセスさせて分注を行っていた。
【００１２】
試薬を分注する前に撹拌する工程を要する自動分析装置においては、複数の試薬容器が保冷して保管される。そして、これら試薬容器は、ある程度の厚みの側壁をもつ試薬保管庫内に保管されることが一般的である。そのため、撹拌パドルおよび試薬分注プローブが試薬容器上方まで水平移動する距離は、上述した垂直移動する距離よりも長い。そして、移動開始から試薬容器上方に到達するまでの水平方向の移動時間は、上下方向の移動時間よりも長く、この水平方向の移動時間が自動分析装置全体のスループット向上にあたりボトルネックとなっていた。
【００１３】
本発明の目的は、撹拌パドルおよび試薬分注プローブが移動開始から試薬容器上方に到達するまでの移動時間を短縮させ、自動分析装置の分析スループットを向上させることを可能にする技術を提供することにある。
【課題を解決するための手段】
【００１４】
本願において開示される発明のうち、代表的なものの概要を簡単に説明すれば、次の通りである。
【００１５】
本発明の一実施の形態は、上方が開口した試薬容器と、前記試薬容器内の試薬を撹拌する撹拌パドルと、前記撹拌パドルを水平移動および垂直移動させることにより前記試薬容器内の試薬にアクセスさせる撹拌パドル駆動機構とを有する。また、前記撹拌パドルが撹拌した後の前記試薬を吸引する試薬分注プローブと、前記試薬分注プローブを水平移動および垂直移動させることにより前記試薬容器内の試薬にアクセスさせる試薬分注プローブ駆動機構とを有する。また、前記撹拌パドルおよび前記試薬分注プローブは、同時に前記試薬容器の上方に位置付けられるように前記撹拌パドル駆動機構および前記試薬分注プローブ駆動機構の動作を制御する。
【００１６】
また、他の実施の形態では、上方が開口した試薬容器と、前記試薬容器の上方まで移動され、その後に前記試薬容器内の試薬を撹拌する撹拌パドルと、前記試薬容器の上方まで移動され、その後に前記撹拌パドルが撹拌した後の前記試薬を吸引する試薬分注プローブと、を有する自動分析装置における自動分析方法であって、前記自動分析装置が、前記撹拌パドルおよび前記試薬分注プローブを、前記試薬容器の上方に同時に位置付ける待機位置移動ステップを有する。
【発明の効果】
【００１７】
本願において開示される発明のうち、代表的なものによって得られる効果を簡単に説明すれば以下のとおりである。
【００１８】
本発明の一実施の形態によれば、撹拌パドルおよび試薬分注プローブが移動開始から試薬容器上方に到達するまでの移動時間を短縮させ、自動分析装置の分析スループットを向上させることができるようになる。
【図面の簡単な説明】
【００１９】
【図１】本発明の実施の形態１における自動分析装置の構成例の概要を示す平面図である。
【図２】本発明の実施の形態１における自動分析装置の試薬容器を上方から観察した図である。
【図３】（ａ）および（ｂ）は、本発明の実施の形態１における自動分析装置の試薬容器の断面を側面方向から観察した図であり、（ａ）は、撹拌パドルによる撹拌動作。（ｂ）は、試薬分注プローブによる分注動作を示す図である。
【図４】本発明の実施の形態１における自動分析装置において、試薬分注プローブの構成例の概要を示す図である。
【図５】本発明の実施の形態２における自動分析装置の構成例の概要を示す平面図である。
【図６】（ａ）および（ｂ）は、本発明の実施の形態２における自動分析装置の試薬容器の断面を側面方向から観察した図であり、（ａ）は、撹拌パドルによる撹拌動作。（ｂ）は、試薬分注プローブによる分注動作を示す図である。
【図７】本発明の実施の形態３における自動分析装置において、撹拌分注プローブの構成例の概要を示す断面図である。
【図８】本発明の実施の形態３における自動分析装置において、撹拌分注プローブの構成例の概要を示す断面図である。
【発明を実施するための形態】
【００２０】
以下、本発明の実施の形態を図面に基づいて詳細に説明する。なお、実施の形態を説明するための全図において、同一部には原則として同一の符号を付し、その繰り返しの説明は省略する。
【００２１】
[実施の形態１]
本発明の実施の形態１を、図１〜図４を用いて説明する。
【００２２】
＜全体構成例＞
図１は、本発明の実施の形態１における自動分析装置の構成例の概要を示す平面図である。図１において、自動分析装置は、分析動作を行う分析部１０１と、分析部１０１を制御する制御部１０２と、ユーザから分析部１０１への入力を受け付ける入力部１０３と、情報を表示する表示部１０４とを有する。
【００２３】
分析部１０１は、搬送機構１１２と、試料プローブ１１３とチップ装脱着部１１４と、チップマガジン１１５と、反応容器マガジン１１６と、チップ反応容器搬送機構１１７と、のインキュベータ１１９と、試薬ディスク１２１と、試薬分注プローブ１２２と、試薬プローブ洗浄部１２３と、撹拌パドル１２４と、撹拌パドル洗浄部１２５と、検出部１３１と、検出部用分注プローブ１３２とを有する。
【００２４】
搬送機構１１２は、試料（この試料の測定対象成分の血清中濃度が概ねｆｍｏｌ／Ｌ〜ｎｍｏｌ／Ｌオーダである）が入った試料容器１１１を試料分注位置まで搬送する。
【００２５】
試料プローブ１１３は、搬送された試料容器１１１から試料を吸引する。
【００２６】
チップマガジン１１５は、試料プローブ１１３の先端に装着されるディスポーザブルチップを供給する。
【００２７】
チップ装脱着部１１４は、試料プローブ１１３の先端にディスポーザブルチップを装着および脱着する。
【００２８】
反応容器マガジン１１６は、試料プローブ１１３が吸引した試料が分注される反応容器を供給する。
【００２９】
チップ反応容器搬送機構１１７は、チップマガジン１１５から供給されるディスポーザブルチップと反応容器マガジン１１６から供給される反応容器とを搬送する。
【００３０】
インキュベータ１１９は、開口部１１８を複数備えた反応容器内の反応液を一定の温度で保持する。
【００３１】
試薬ディスク１２１は、試薬（この試薬は、磁性粒子を含む試薬、第１の抗体を含む試薬、第２の抗体を含む試薬のいずれかが該当する）が入った３本の試薬容器１２０が入った試薬容器ラックを保持する。
【００３２】
試薬分注プローブ１２２は、試薬容器１２０から吸引した試薬をインキュベータ１１９上の反応容器に分注する。
【００３３】
試薬プローブ洗浄部１２３は、試薬分注プローブ１２２を水や洗浄液で洗浄する。
【００３４】
撹拌パドル１２４は、試薬容器１２０内の試薬を撹拌する。
【００３５】
撹拌パドル洗浄部１２５は、撹拌パドル１２４を水や洗浄液で洗浄する。
【００３６】
検出部１３１は、測定対象の抗原の発光シグナルを検出する。
【００３７】
検出部用分注プローブ１３２は、検出部１３１に反応液を分注する。
【００３８】
発光試薬、洗浄液などが入ったボトルは分析部１０１の内部に複数個保管されており、各ボトル内に挿入される試薬チューブにより発光試薬、洗浄液は各機構に供給される。
【００３９】
分析部１０１による分析結果が表示されるまでの動作として、まず、反応容器マガジン１１６から供給された反応容器が、チップ反応容器搬送機構１１７によりインキュベータ１１９上に搬送される。また、撹拌パドル１２４により、試薬容器１２０に入った試薬が撹拌されことで、磁性粒子が懸濁される。次に、試薬分注プローブ１２２が、試薬と第１抗体試薬とを反応容器内に分注する。次に、試料が入った試料容器１１１が搬送機構１１２により試料分取位置まで搬送される。そして、チップ装脱着部１１４にてディスポーザブルチップを装着した試料プローブ１１３により、試料容器１１１内の試料が吸引され、その後、吸引された試料がインキュベータ１１９上の反応容器に分注される。一定時間インキュベーション（たとえば、反応容器内を数分間そのままにする）された後に、第２の抗体が含まれる試薬が試薬分注プローブ１２２により反応容器内に分注される。一定時間インキュベーションされた後に、検出部用分注プローブ１３２が反応容器内の液体を検出部１３１に分注する。その後、検出部１３１が分注された液体の発光検査をする。最後に、表示部１０４が発光データより算出された分析結果を表示する。
【００４０】
＜詳細構成例＞
図４は、本発明の実施の形態１における自動分析装置において、試薬分注プローブ１２２の構成例の概要を示す図である。
【００４１】
図４において、試薬分注プローブ１２２は、棒本体４０１と棒本体４０１の先端に設けられる試薬分注プローブ開口部４０２とを有する。この試薬分注プローブ開口部４０２の径は、棒本体４０１の径よりも大きい。
【００４２】
ここで、撹拌パドル１２４による撹拌が完了後は、バルク溶液領域４０３では磁性粒子が静止しておらず、分注される磁性粒子数が変動するため、再現性良く試薬の分注を行えない状態である。しかし、試薬分注プローブ開口部４０２の径を棒本体４０１の径よりも大きくすることで、領域４０４が形成され、試薬分注プローブ開口部４０２が試薬に挿入されることで、この形成された領域４０４において、磁性粒子が短時間に静止する。よって、撹拌パドル１２４による撹拌が完了後、磁性粒子が静止する前の状態で試薬を吸引できるようになり、分析スループットをさらに向上させるとともに再現性良く磁性粒子の分注ができるようになる。
【００４３】
＜動作説明＞
図２は、本発明の実施の形態１における自動分析装置の試薬容器１２０を上方から観察した図である。また、図３（ａ）および図３（ｂ）は、本発明の実施の形態１における自動分析装置の試薬容器１２０の断面を側面方向から観察した図であり、図３（ａ）は、撹拌パドル１２４による撹拌動作。図３（ｂ）は、試薬分注プローブ１２２による分注動作を示す図である。
【００４４】
まず、撹拌パドル駆動機構が撹拌パドル１２４を、試薬分注プローブ駆動機構が試薬分注プローブ１２２を、同時に試薬容器開口部２０１の上方に位置づけられるように水平移動させる。（この動作は、待機位置移動ステップに相当する）。ここで、以下、撹拌パドル１２４が水平方向へ移動後に到達する試薬容器開口部２０１の垂直方向の位置を撹拌パドル待機位置２０２といい、試薬分注プローブ１２２が水平方向へ移動後に到達する試薬容器開口部２０１の垂直方向の位置を試薬分注プローブ待機位置２０３という。また、撹拌パドル１２４が試薬１２６を撹拌する垂直方向の位置を撹拌位置２０４といい、試薬分注プローブ１２２が試薬１２６を吸引する垂直方向の位置を分注位置２０５という。
【００４５】
なお、必ずしも移動の開始時刻および終了時刻が同時でなくとも、同じサイクルタイムの間に、撹拌パドル１２４と試薬分注プローブ１２２を、試薬容器１２０の上方に移動させればよい。つまり、あるサイクルタイムの終了する時間までに撹拌パドルと試薬分注プローブとが、試薬容器１２０の上方の所定の位置に位置付けられるように移動させればよい。
【００４６】
次に、撹拌パドル１２４および試薬分注プローブ１２２を同時に垂直方向に降下させることで、撹拌パドル１２４および試薬分注プローブ１２２を試薬容器１２０内に挿入させる（この動作は、挿入ステップに相当する）。なお、撹拌パドル１２４を試薬容器１２０内へ挿入させた後に、試薬分注プローブ１２２を試薬容器１２０内へ挿入させるようにしても良い。
【００４７】
次に、撹拌パドル１２４は、試薬容器１２０内に挿入させた状態で撹拌パドル待機位置２０２から撹拌位置２０４まで水平移動させる（この動作は、撹拌位置移動ステップに相当する）。なお、撹拌パドル１２４を撹拌パドル待機位置２０２まで水平移動させるのに替えて、直接、撹拌位置２０４まで水平移動させるようにしても良い。
【００４８】
次に、撹拌パドル１２４は、撹拌位置２０４にて試薬１２６を撹拌する。この撹拌は、図３（ａ）に示すように撹拌位置２０４にて撹拌パドル１２４を回転させることで行われる。なお、磁性粒子は時間経過とともに試薬容器１２０下部に沈降する。よって、撹拌は、図３（ａ）に示すように撹拌パドル１２４の撹拌翼を試薬容器１２０の底面付近まで降下させた状態で行うことが望ましい。
【００４９】
撹拌パドル１２４による撹拌が終了後、撹拌パドル１２４は、試薬容器１２０内に挿入させた状態で撹拌位置２０４から撹拌パドル待機位置２０２まで水平移動させる（この動作は、分注位置移動ステップに相当する）。
【００５０】
次に、試薬分注プローブ１２２は、試薬容器１２０内に挿入させた状態で試薬分注プローブ待機位置２０３から分注位置２０５まで水平移動させる。
【００５１】
次に、試薬分注プローブ１２２は、試薬１２６を吸引する。この吸引は、図３（ｂ）に示すように分注位置２０５にて行われる。なお、分注後の洗浄効率の観点からこの吸引は、試薬分注プローブ１２２の先端に設けられる試薬分注プローブ開口部４０２を水面付近まで降下させた状態で行うことが望ましい。また、図２において、撹拌位置２０４と分注位置２０５が上方から見て略同一となる位置を撹拌位置２０４および分注位置２０５としたが、本発明の効果を得るためには必ずしも撹拌位置２０４と分注位置２０５とが略同一の位置であることに限定されない。つまり、分注位置２０５における撹拌効果が十分に得られる範囲内に撹拌位置２０４が存在すれば良く、例えば、撹拌パドル１２４の回転軸を中心とする半径５ｍｍ以内の領域内に分注位置２０５が位置するようにすれば良い。
【００５２】
試薬分注プローブ１２２による試薬１２６の吸引が終了後、試薬分注プローブ１２２と撹拌パドル１２４とを、垂直方向に引き上げさせることで、試薬分注プローブ１２２と撹拌パドル１２４とは、試薬容器１２０外へ取り出される。
【００５３】
その後、撹拌パドル１２４を、撹拌パドル洗浄部１２５の上方まで水平移動させ、撹拌パドル洗浄部１２５は、撹拌パドル１２４を洗浄する。
【００５４】
また、試薬分注プローブ１２２を反応容器上方まで水平移動させ、試薬分注プローブ１２２は、吸引した試薬１２６を反応容器に分注する。その後、試薬分注プローブ１２２を、試薬プローブ洗浄部１２３の上方まで水平移動させ、試薬プローブ洗浄部１２３は、試薬分注プローブ１２２を洗浄する。
【００５５】
＜実施の形態１の効果＞
以上説明した本発明の実施の形態１における自動分析装置によれば、撹拌パドル１２４および試薬分注プローブ１２２を試薬容器１２０の上方に向かって同時に位置付けることで、撹拌工程と分注工程の間のタイムラグを非常に小さくでき、自動分析装置のスループットを向上させることができるようになる。
【００５６】
また、撹拌パドル１２４および試薬分注プローブ１２２を、試薬容器１２０の上方に到達後、垂直方向に同時に降下させ、試薬容器１２０に挿入させることで、試薬容器１２０に挿入させる際に撹拌パドル１２４と試薬分注プローブ１２２とが接触することを防止できるようになる。
【００５７】
また、撹拌パドル１２４を試薬容器１２０に挿入させた状態で撹拌位置２０４まで水平移動させ、試薬分注プローブ１２２を試薬容器１２０に挿入させた状態で分注位置２０５まで水平移動させることで、試薬分注プローブ１２２は、分注工程を開始する際には十分に磁性粒子が分散している状態で分注することができるようになる。
【００５８】
また、分注位置２０５を、撹拌位置２０４にて撹拌パドル１２４の回転軸を中心とする半径５ｍｍ以内の領域に位置させることで、試薬分注プローブ１２２は、十分に撹拌された試薬１２６を吸引することができるようになる。
【００５９】
また、試薬分注プローブ開口部４０２の径を棒本体４０１の径よりも大きくすることで、試薬分注プローブ１２２は、磁性粒子が静止する前の状態で試薬１２６を吸引することができるようになる。
【００６０】
[実施の形態２]
本実施の形態２が実施の形態１と異なる点は、試薬分注プローブ１２２と撹拌パドル１２４とを一体化させた撹拌分注プローブを有することである。以下、本実施の形態２を実施の形態１と異なる点を主に、図５、図６を用いて説明する。
【００６１】
＜全体構成例＞
図５は、本発明の実施の形態２における自動分析装置の構成例の概要を示す図である。図５において、自動分析装置の分析部１０１は、試薬分注プローブ１２２と撹拌パドル１２４とを一体化させた撹拌分注プローブ１４０を有する。
【００６２】
撹拌分注プローブ１４０は、試薬容器１２０に入った磁性粒子を分注前に撹拌する。さらに、撹拌分注プローブ１４０は、試薬容器１２０から吸引した試薬１２６をインキュベータ１１９上の反応容器に分注する。
【００６３】
＜動作説明＞
図６は、本発明の実施の形態２における自動分析装置の試薬容器１２０の断面を側面方向から観察した図である。
【００６４】
撹拌分注プローブ１４０を水平移動させることで、撹拌パドル１２４を撹拌パドル待機位置２０２から撹拌位置２０４まで移動させる。
【００６５】
次に、撹拌分注プローブ１４０を垂直方向に降下させることで、撹拌パドル１２４および試薬分注プローブ１２２を垂直方向に降下させ、撹拌パドル１２４および試薬分注プローブ１２２を試薬容器１２０内に挿入させる。
【００６６】
次に、撹拌パドル１２４は、試薬１２６を撹拌する。この撹拌は、図６（ａ）に示すように撹拌位置２０４にて撹拌パドル１２４を回転させることで行われる。
【００６７】
撹拌パドル１２４による撹拌が終了後、撹拌分注プローブ１４０を水平移動させることで、撹拌パドル１２４を試薬容器１２０内に挿入させた状態で撹拌パドル待機位置２０２まで水平移動させ、試薬分注プローブ１２２を試薬容器１２０内に挿入させた状態で分注位置２０５まで移動させる。
【００６８】
次に、試薬分注プローブ１２２は、試薬１２６を吸引する。この吸引は、図６（ｂ）に示すように分注位置２０５にて行われる。
【００６９】
試薬分注プローブ１２２による試薬１２６の吸引が終了後、撹拌分注プローブ１４０を垂直方向に引き上げることで、試薬分注プローブ１２２と撹拌パドル１２４とが、垂直方向に引き上げられる。
【００７０】
＜実施の形態２の効果＞
以上のように、本実施の形態２によれば、試薬分注プローブ１２２と撹拌パドル１２４とを一体化させることで、実施の形態１と異なる効果として、部品数を削減できるようになる。
【００７１】
[実施の形態３]
本実施の形態３が実施の形態１と異なる点は、撹拌パドル１２４を試薬分注プローブ１２２の外周に沿って設けることで撹拌パドル１２４と試薬分注プローブ１２２とを一体化した撹拌分注プローブを有することである。以下、本実施の形態３を実施の形態１と異なる点を主に、図７、図８を用いて説明する。
【００７２】
図７は、本発明の実施の形態３における自動分析装置において、撹拌分注プローブ１５０の構成例の概要を示す図である。
【００７３】
図７において、撹拌分注プローブ１５０は、試薬分注プローブ１２２と、試薬分注プローブ１２２の外周に沿って設けられる撹拌パドル１２４とを有する。
【００７４】
撹拌分注プローブ１５０は、試薬分注プローブ１２２が回転し、試薬１２６を撹拌する。また、撹拌分注プローブ１５０は、試薬分注プローブ１２２により反応容器への分注をする。
【００７５】
なお、図８に示すように、撹拌分注プローブ１６０の撹拌パドル１２４が、棒本体８０１と棒本体８０１の先端に設けられる試薬分注プローブ開口部８０２とを有し、試薬分注プローブ開口部８０２の径を、棒本体８０１の径よりも大きくするようにしても良い。
【００７６】
＜実施の形態３の効果＞
以上のように、本実施の形態３によれば、撹拌パドル１２４を試薬分注プローブ１２２の外周に沿って設けることで、実施の形態１と異なる効果として、水平方向での試薬分注プローブ１２２の位置制御を行うことなく試薬１２６の撹拌および分注ができるようになる。
【００７７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７８】
例えば、分析対象成分を共存成分から分離することにより測定をする自動分析装置に限らず、様々な形態の自動分析装置を全て含むものである。
【符号の説明】
【００７９】
１０１  分析部
１０２  制御部
１０３  入力部
１０４  表示部
１１１  試料容器
１１２  搬送機構
１１３  試料プローブ
１１４  チップ装脱着部
１１５  チップマガジン
１１６  反応容器マガジン
１１７  チップ反応容器搬送機構
１１８  開口部
１１９  インキュベータ
１２０  試薬容器
１２１  試薬ディスク
１２２  試薬分注プローブ
１２３  試薬プローブ洗浄部
１２４  撹拌パドル
１２５  撹拌パドル洗浄部
１２６  試薬
１３１  検出部
１３２  検出部用分注プローブ
１４０，１５０，１６０  撹拌分注プローブ
２０１  試薬容器開口部
２０２  撹拌パドル待機位置
２０３  試薬分注プローブ待機位置
２０４  撹拌位置
２０５  分注位置
４０１，８０１  棒本体
４０２，８０２  試薬分注プローブ開口部
４０３  バルク溶液領域
４０４  領域
【図１】
2014228318.tif 000003
【図２】
2014228318.tif 000004
【図３】
2014228318.tif 000005
【図４】
2014228318.tif 000006
【図５】
2014228318.tif 000007
【図６】
2014228318.tif 000008
【図７】
2014228318.tif 000009
【図８】
2014228318.tif 000010